(57)【要約】【課題】  患者から摘出した病巣等の標本の作成やその扱いにおいて発生するホルマリン臭や病原菌をテーブル上で直ちに吸引し脱臭無害に処理して排出し得る殺菌・脱臭装置付き作業台を提供する。【解決手段】  テーブル上に、その上面の空気を吸引する逆Ｌ字形の吸引筒を先端の方位変向可能に軸回転するように立設し、テーブル下には、吸引筒から空気を吸引して排出するファンモータと、空気を触れさせる光触媒としての酸化チタンが担持される反応板と、反応板を照射するランプとがケースに内装される殺菌・脱臭装置を組み込んだ。【効果】  患者から摘出した病巣等の標本の作成やその扱いにおいて発生するホルマリン臭や病原菌をテーブル上で直ちに吸引し脱臭無害に処理して排出し得るため、総合病院の病理室等の作業環境が著しく衛生的に改善され、また、院内感染の元となる不安もなくなる。【選択図】    図１
0003114085.tif 000002
【実用新案登録請求の範囲】
【請求項１】
テーブル上に、その上面の空気を吸引する逆Ｌ字形の吸引筒を先端の方位変向可能に軸回転するように立設し、テーブル下には、吸引筒から空気を吸引して排出するファンモータと、空気を触れさせる光触媒としての酸化チタンが担持される反応板と、反応板を照射するランプとがケースに内装される殺菌・脱臭装置を組み込んだことを特徴とする殺菌・脱臭装置付き作業台。
【請求項２】
吸引筒が逆Ｌ字形の筒本体と、それに出し入れ自在に嵌入することにより長さ調整可能な横筒と、横筒の先端に取り付けられる口先とからなり、口先に下向きに吸い口が設けられていることを特徴とする請求項１記載の殺菌・脱臭装置付き作業台。
【考案の詳細な説明】
【技術分野】
【０００１】
この考案は、病院や研究所等において使用する殺菌・脱臭装置付き作業台に関する。
【背景技術】
【０００２】
総合病院では一日に数多くの手術が実施され、病理・細胞診部門ではその際に摘出された病巣部分の組織や分泌物・穿刺液等の材料からホルマリン処理で標本を作成し、形態学的な診断に供される。その標本作成などを作り、また、摘出物や標本に基づいて病名を診断し検討するのは、病理室において作業台の上で行われていた。
【０００３】
人体より摘出したポリープなどはホルマリンに浸されているため主にホルマリンの異臭を呈しており、また、分析のためのアルコール類の臭いもしているので、マスク等の装備をしていても、作業においてはこの異臭に悩まされる。また、空気中に浮遊する病原菌にも気をつかう作業環境であった。
【０００４】
病理室には換気扇が設けられ、常時換気が行われてはいるが、作業台から換気扇までの距離が長いために、細菌類やホルマリン臭が室内に立ちこめている時間が長く、それが病理室に独特な臭いが付着し、また、院内感染の元となる危険性もあった。
【考案の開示】
【考案が解決しようとする課題】
【０００５】
この考案は、上記のような実情に鑑みて、患者から摘出した病巣等の標本の作成やその扱いにおいて発生するホルマリン臭や病原菌をテーブル上で直ちに吸引し脱臭無害に処理して排出し得る殺菌・脱臭装置付き作業台を提供することを課題とした。
【課題を解決するための手段】
【０００６】
上記の課題を解決するために、この考案は、テーブル上に、その上面の空気を吸引する逆Ｌ字形の吸引筒を先端の方位変向可能に軸回転するように立設し、テーブル下には、吸引筒から空気を吸引して排出するファンモータと、空気を触れさせる光触媒としての酸化チタンが担持される反応板と、反応板を照射するランプとがケースに内装される殺菌・脱臭装置を組み込んだことを特徴とする殺菌・脱臭装置付き作業台を提供するものである。
【０００７】
殺菌・脱臭装置付き作業台を上記のように構成したから、病巣の摘出物を材料としてホルマリン処理して標本を作成し、保存した標本を診断等に供する等の作業がテーブルの上で行われるが、殺菌・脱臭装置を稼働状態にしてその作業を行うと、感染のおそれのある細菌類や、ホルマリンを主とする異臭が直ちに吸引筒に吸引され、テーブル下の殺菌・脱臭装置により殺菌・脱臭されて排出される。
【考案の効果】
【０００８】
以上説明したように、この考案によれば、患者から摘出した病巣等の標本の作成やその扱いにおいて発生するホルマリン臭や病原菌をテーブル上で直ちに吸引し脱臭無害に処理して排出し得るため、総合病院の病理室等の作業環境が著しく衛生的に改善され、また、院内感染の元となる不安もなくなるという優れた効果がある。
【考案を実施するための最良の形態】
【０００９】
図面は一実施形態を示したもので、その殺菌・脱臭装置付き作業台Ｔは、テーブル１の一側部に殺菌・脱臭装置３を組み込み、テーブル１の上に、その殺菌・脱臭装置３から起立する逆Ｌ字形の吸引筒５が突設されたもので、吸引筒５の吸い口６から引き込まれた空気が殺菌・脱臭装置３により処理されて、排気口７から放出されるようになっている。この吸引筒５は円筒型でも角筒型でもよい。また筒５の前側にフィルター１５を装備して交換しやすくし、筒５の中央部にはファンモータ１７を装備して、吸入口近辺の静圧を高くしてある。
【００１０】
殺菌・脱臭装置３が装備されるケース９は、テーブル１の側部にコンパクトに納まる矩形であって、その上においてテーブル１上に突出する吸引筒５は、テーブル１上に回転可能に立設されるＬ字形の筒本体５ａと、その先端部に長さ調整可能に出し入れできるよう嵌まる横筒５ｂと、横筒５ｂの先端に嵌着される口先５ｃとからなり、口先５ｃに斜め下向きに吸い口６が設けられている。
【００１１】
図６は、吸引筒５がテーブル１上に回転可能に立設されている構成を示す一実施例で、その主要構成部を示した断面図である。例えば、角筒のテーブル部分のみが円筒形状で、ベアリング１６、１６を装備し、スムーズに回転させるように構成されている。一方、回りすぎを防止するため、アクセスホールを設けてストッパーとすることができる。
【００１２】
横筒５ｂおよびその端の口先５ｃは、テーブル１の長手方向に平行となる作業方位と、９０度回転する横向きとなる仕舞い方位に変向できるようになっており、したがって、例えば、テーブル１の上で患者から摘出した臓器をホルマリン処理する等の作業を行う際には、作業方位においてその口先５ｃの位置を調整して、その直下で処理作業を行うことにより、病原菌やホルマリンの揮発成分が吸い口６から殺菌・脱臭装置３に確実に吸い込まれることになる。また、テーブル１の上を開放したいときには、吸引筒５の向きを変えて都合良く仕舞っておくことができる。
【００１３】
口先５ｃの吸い口６が常時下向きに保持するために、筒本体５ａと横筒５ｂの嵌合において、両方に相互に係合するスライドレール２，４を装備することにより、横筒５ｂの回転が阻止されている。また、ケース９に吸引筒５を回転可能に連結するために、テーブル１の端部に吸引筒５が差し込まれる抜け穴１１を設け、ケース９内の内ケース１０の上端には抜け穴１１に突入する円形の突出口１３を設け、突出口１３に筒本体５ａがはめ込めれている。
【００１４】
殺菌・脱臭装置３は、内ケース１０内に、突出口１３の下方に、上記ファンモータ１７により送られる空気の入口２１と出口２３とを有する部分を設け、入口２１と出口２３との間において筒状に形成された上下一対の反応筒２５，２５を設け、両反応筒２５，２５には上部にそれぞれ反応板２７，２７を内装し、中心部にケミカルランプ２９が内装されている。なお、排気口７は開閉扉２８に設けられ、前記出口２３がその排気口７に臨ませてある。
【００１５】
反応板２７は、ステンレス製の板材に多数の通気穴３１，３１，・・を穿設し、担持体としてのその板材に酸化チタンの光触媒を塗布して形成されている。酸化チタンの材料としての形態には、粉体、ゾル状、溶液（有機チタン化合物）などがあるが、一定の厚みをもつ層を形成するには粉体により、それを水で練って塗布する。
【００１６】
また、酸化チタンの塗布を２層に形成し、下層となる部分の材料を、酸化チタンを主剤となし、それにリン、カルシウム、珪素を含む化合物と適量の水分との混合物で構成し、上層の材料を、酸化チタンと微量の触媒活性化促進物質と適量の水分とから構成すると、酸化アルカリや、腐食溶解性物質の影響を受けることがない。
【００１７】
なお、酸化チタンは光の照射により殺菌・脱臭の触媒として励起されるが、ランプ２９の代わりに、超音波発生器を励起に使用してもこの考案の趣旨に反しないものとする。
【図面の簡単な説明】
【００１８】
【図１】この考案の殺菌・脱臭装置付き作業台を示す斜視図である。
【図２】同殺菌・脱臭装置付き作業台の正面図である。
【図３】同殺菌・脱臭装置付き作業台の側面図である。
【図４】図３のＡ−Ａ線矢視において示す殺菌・脱臭装置の拡大断面図である。
【図５】殺菌・脱臭装置における反応板の正面図である。
【図６】吸引筒の軸回転部分の主要構成部を示した断面図である。
【符号の説明】
【００１９】
Ｔ  殺菌・脱臭装置付き作業台
１  テーブル
３  殺菌・脱臭装置
５  吸引筒
５ａ  筒本体
５ｂ  横筒
５ｃ  口先
６  吸い口
９  ケース
１６  ベアリング
１７  ファンモータ
２７  反応板
２９  ランプ
【図１】
0003114085.tif 000003
【図２】
0003114085.tif 000004
【図３】
0003114085.tif 000005
【図４】
0003114085.tif 000006
【図５】
0003114085.tif 000007
【図６】
0003114085.tif 000008